(57)【特許請求の範囲】
【請求項１】
圧縮空気の噴射によって緯糸を緯入れし、緯入れされた緯糸をスレイ上の筬羽によって筬打ちするエアジェットルームにおける緯糸検出装置において、
前記緯糸の飛走通路に対向して配置される支持部材と、
前記支持部材内に設けられ、かつ端面が前記飛走通路に対向して配置された投光用光ファイバー及び受光用光ファイバーとを備え、
前記投光用光ファイバー及び前記受光用光ファイバーは、前記端面のうち他方の光ファイバーと隣り合う側の縁部である隣接縁部と、それとは反対側の縁部である反隣接縁部は平面に形成され、前記投光用光ファイバー及び前記受光用光ファイバーのうちの一方の前記隣接縁部と、前記投光用光ファイバー及び前記受光用光ファイバーのうちの他方の反隣接縁部とがなす角度を両者の検出エリアの境界の少なくとも一方が前記飛走通路に合うように設定したことを特徴とするエアジェットルームにおける緯糸検出装置。
【請求項２】
前記支持部材は経糸列の間から経糸の開口内に対して出入り可能に設けられ、前記投光用光ファイバー及び前記受光用光ファイバーは、前記筬羽に形成されたガイド凹部を指向する状態で前記端面が縦に並ぶように設けられている請求項１に記載のエアジェットルームにおける緯糸検出装置。
【請求項３】
前記支持部材は経糸の開口の外に緯糸が到達する緯糸到達位置に設けられ、前記投光用光ファイバー及び前記受光用光ファイバーは、前記端面が緯入れ方向に沿って並ぶように設けられている請求項１に記載のエアジェットルームにおける緯糸検出装置。
【請求項４】
前記投光用光ファイバー及び前記受光用光ファイバーは、それぞれ前記平面が各光ファイバーの軸方向と直交する平面に対して傾いて形成されている請求項１〜請求項３のいずれか一項に記載のエアジェットルームにおける緯糸検出装置。
【発明の詳細な説明】
【技術分野】
【０００１】
本発明は、エアジェットルームにおける緯糸検出装置に係り、詳しくは空気の噴射によって緯糸を緯入れし、緯入れされた緯糸をスレイ上の筬羽によって筬打ちするエアジェットルームにおける緯糸検出装置に関する。
【背景技術】
【０００２】
織物品質に大きな影響を与える緯糸の飛走状態を探るため、経糸列をかき分けて経糸の開口内に対して出入りする支持部材内に投光用の光ファイバー及び受光用の光ファイバーを設けた緯糸検出装置が開示されている（例えば、特許文献１参照）。この緯糸検出装置は、図１０に示すように、支持部材５１は、その先端が筬羽５２のガイド凹部５２ａによって形成される緯糸（図示せず）の飛走通路５３に対向して配置されている。そして、図１１（ａ），（ｂ）に示すように、支持部材５１は一対の分割片５１ａ，５１ｂを結合して構成され、投光用光ファイバー５４及び受光用光ファイバー５５の先端面は、支持部材５１の先端部に形成された露出口５１ｃから露出している。各光ファイバー５４，５５は、複数のファイバー要素を束ねたマルチ光ファイバーで構成されている。そして、支持部材５１は、支持部材５１の先端部５６の外面及び各光ファイバー５４，５５の先端面は、経糸を損傷するおそれなく飛走緯糸を検出可能とするため、滑らかな凸曲面に形成されている。
【先行技術文献】
【特許文献】
【０００３】
【特許文献１】特開２０１０−２０９４７８号公報
【発明の概要】
【発明が解決しようとする課題】
【０００４】
投光用光ファイバー５４及び受光用光ファイバー５５は、経糸列に入り込むような細い支持部材５１内に配置するため、投光用光ファイバー５４及び受光用光ファイバー５５の太さは支持部材５１の大きさ（太さ）に制限され、むやみに太くできない。
【０００５】
特許文献１のように投光用光ファイバー５４及び受光用光ファイバー５５の端面を凸曲面とした場合は、図１２（ａ），（ｂ）に示すように、筬羽５２のガイド凹部５２ａと対応する下顎部分における筬羽５２の背面と平行な接線Ｌ１より背面側である飛走通路５３に占める投光範囲Ａ１（検出エリア）の上下両側に投光不能範囲Ａ３が存在する。また、受光用光ファイバー５５では、飛走通路５３に占める受光範囲Ａ２（検出エリア）の下側に受光不能範囲Ａ４が存在する。そのため、投光範囲Ａ１と受光範囲Ａ２との重なり範囲が狭くなり、緯糸の検出性能が低下する。
【０００６】
本発明は、前記の問題に鑑みてなされたものであって、その目的は、飛走緯糸の検出性能を向上させることができる緯糸検出装置を提供することにある。
【課題を解決するための手段】
【０００７】
上記課題を解決するエアジェットルームにおける緯糸検出装置は、圧縮空気の噴射によって緯糸を緯入れし、緯入れされた緯糸をスレイ上の筬羽によって筬打ちするエアジェットルームにおける緯糸検出装置である。そして、前記緯糸の飛走通路に対向して配置される支持部材と、前記支持部材内に設けられ、かつ端面が前記飛走通路に対向して配置された投光用光ファイバー及び受光用光ファイバーとを備え、前記投光用光ファイバー及び前記受光用光ファイバーは、前記端面のうち他方の光ファイバーと隣り合う側の縁部である隣接縁部と、それとは反対側の縁部である反隣接縁部は平面に形成され、前記投光用光ファイバー及び前記受光用光ファイバーのうちの一方の前記隣接縁部と、前記投光用光ファイバー及び前記受光用光ファイバーのうちの他方の反隣接縁部とがなす角度を両者の検出エリアの境界の少なくとも一方が前記飛走通路に合うように設定した。ここで、「検出エリア」とは、投光用光ファイバーにおいては光ファイバーから照射された光が緯糸の飛走通路において占める範囲を意味し、受光用光ファイバーにおいては受光可能な光が緯糸の飛走通路において占める範囲を意味する。また、「両者の検出エリアの投光用光ファイバー側境界」とは、投光範囲及び受光範囲の上側境界線と、筬羽のガイド凹部と対応する下顎部分における筬羽の背面と平行な接線とが交差する箇所を意味する。また、「合うように」とは、完全一致に限らず、緯糸検出性能上で問題がない範囲の微差を有するものを含む。
【０００８】
この構成によれば、投光用光ファイバー及び受光用光ファイバーの端面のうち他方の光ファイバーと隣り合う側の縁部である隣接縁部と、それとは反対側の縁部である反隣接縁部は平面に形成され、前記投光用光ファイバー及び前記受光用光ファイバーのうちの一方の前記隣接縁部と、前記投光用光ファイバー及び前記受光用光ファイバーのうちの他方の反隣接縁部とがなす角度を両者の検出エリアの境界の少なくとも一方が合うように設定した。そのため、従来に比べて、投光用光ファイバー及び受光用光ファイバーの検出エリアの重なる範囲が増加し、かつ緯糸存在頻度が比較的高い飛走通路上部で検出エリアを一致させることができる。その結果、飛走緯糸の検出性能を向上させることができる。
【０００９】
前記支持部材は経糸列の間から経糸の開口内に対して出入り可能に設けられ、前記投光用光ファイバー及び前記受光用光ファイバーは、前記筬羽に形成されたガイド凹部を指向する状態で前記端面が縦に並ぶように設けられていることが好ましい。この構成においては、受光用光ファイバーは、投光用光ファイバーから投射されてガイド凹部で反射した反射光を受光するため、緯糸で反射した反射光により緯糸の検出を行う構成に比較して検出精度が高くなる。また、投光用光ファイバー及び受光用光ファイバーの端面が横に並ぶ構成に比べて支持部材の太さを細くすることができ、支持部材が経糸開口に出入りする際の抵抗が小さくなる。
【００１０】
前記支持部材は経糸の開口の外に緯糸が到達する緯糸到達位置に設けられ、前記投光用光ファイバー及び前記受光用光ファイバーは、前記端面が緯入れ方向に沿って並ぶように設けられていることが好ましい。この構成の緯糸検出装置は、緯糸の先端が経糸の開口の外、即ち緯入れ末端まで到達したか否かを検出するために使用される。そのため、受光用光ファイバーは、投光用光ファイバーから投射されて緯糸で反射した反射光を受光して緯糸を検出する。また、従来の緯入れ末端検出用の緯糸検出装置と異なり、投光部及び受光部にレンズを用いていないため、装置の幅（緯入れ方向と平行な方向の大きさ）が小さくなる。そのため、緯入れに必要な緯糸の長さを削減することができる。
【００１１】
前記投光用光ファイバー及び前記受光用光ファイバーは、それぞれ前記平面が各光ファイバーの軸方向と直交する平面に対して傾いて形成されていることが好ましい。この構成によれば、一方の光ファイバーの端面のみを光ファイバーの軸方向と直交する平面に対して傾くように形成した場合に比べて、端面が光ファイバーの軸方向と直交する平面と成す角度を小さくすることができる。
【発明の効果】
【００１２】
本発明によれば、飛走緯糸の検出性能を向上させることができる。
【図面の簡単な説明】
【００１３】
【図１】緯入れ装置の概略斜視図。
【図２】筬羽と緯糸センサとの位置関係を示す一部破断概略側面図。
【図３】（ａ）は緯糸センサの模式部分側面図、（ｂ）は（ａ）の部分拡大図。
【図４】（ａ）はＳＩ型光ファイバーの模式図、（ｂ）は受光用光ファイバーにおける入射角と屈折角とを示す模式図。
【図５】（ａ），（ｂ），（ｃ）は光ファイバーの作用を説明する模式図。
【図６】（ａ），（ｂ）は緯糸センサの作用を説明する模式図。
【図７】第２の実施形態の緯糸センサの模式部分断面図。
【図８】（ａ），（ｂ），（ｃ），（ｄ）はそれぞれ別の実施形態の緯糸センサの模式部分側面図。
【図９】（ａ），（ｂ）はそれぞれ別の実施形態の緯糸センサの模式部分断面図。
【図１０】従来技術の緯糸センサと筬との関係を示す側断面図。
【図１１】（ａ）は従来技術の緯糸センサの部分正面図、（ｂ）は（ａ）のＡ−Ａ線における概略断面図。
【図１２】（ａ），（ｂ）は従来技術の緯糸センサの作用を説明する模式図。
【発明を実施するための形態】
【００１４】
（第１の実施形態）
以下、本発明を具体化した第１の実施形態を図１〜図６にしたがって説明する。
図１に示すように、エアジェット織機は、緯入れ用のメインノズル１１と、緯入れ用のサブノズル１２と、筬１３とがスレイ１４上に固定されている。筬１３は、ガイド凹部１５ａを有する筬羽１５が緯入れ方向に複数列設されて構成されている。複数の筬羽１５のガイド凹部１５ａにより緯糸の飛走通路を構成する筬内通路１６が形成されている。サブノズル１２は、支持ブロック１７を介して位置調整可能にスレイ１４に固定されている。サブノズル１２は、スレイ１４の揺動に伴って経糸Ｔの列の間から経糸Ｔの開口内に対して出入り可能となっている。
【００１５】
スレイ１４には、筬内通路１６を飛走する緯糸Ｙを検出する複数の緯糸センサ２０（１個のみ図示）が支持ブロック２１を介して位置調整可能に固定されている。緯糸センサ２０は、スレイ１４の揺動に伴って経糸Ｔの列の間から経糸Ｔの開口内に対して出入り可能となっている。また、スレイ１４には、緯入れされた緯糸Ｙの先端が緯入れ範囲の終端に到達したことを検出する緯糸センサ３０が、支持ブロック３１を介して位置調整可能に固定されている。
【００１６】
以下、緯糸センサ２０について説明する。
図２に示すように、緯糸センサ２０は、支持ブロック２１に固定されたロッド形状の支持部材２２を有し、支持部材２２の先端部は、スレイ１４の揺動に伴って経糸Ｔの列の間から経糸Ｔの開口内に対して出入り可能である。支持部材２２は、特許文献１の緯糸検出装置と同様に一対の分割片２２ａ，２２ｂを結合して構成され、図３（ａ），（ｂ）に示すように、一対の分割片２２ａ，２２ｂによって構成される収容空間２３を備えている。なお、支持部材は筒状片で一体に形成してもよい。収容空間２３には投光用光ファイバー２４及び受光用光ファイバー２５が収容されている。投光用光ファイバー２４及び受光用光ファイバー２５は、筬羽１５に形成されたガイド凹部１５ａを指向する状態で先端面２４ａ，２５ａが縦に並ぶように設けられている。即ち、投光用光ファイバー２４及び受光用光ファイバー２５は、端面が飛走通路に対向して配置されている。この実施形態では投光用光ファイバー２４が上側に、受光用光ファイバー２５が下側になるように設けられている。
【００１７】
スレイ１４の揺動に拘わらず不動配置される図示しない固定部に、発光素子及び受光素子が設けられている。投光用光ファイバー２４は、プラスチックファイバーからなる光ファイバーを介して発光素子に接続されている。発光素子としてＬＥＤ（発光ダイオード）が使用されている。受光用光ファイバー２５は、プラスチックファイバーからなる光ファイバーを介して受光素子に接続されている。受光素子としてＰＤ（フォトダイオード）が使用されている。
【００１８】
受光用光ファイバー２５の先端面２５ａによって受光された光は、受光用光ファイバー２５を経由して図示しないＰＤに到達し、ＰＤは、受光量に応じた電気信号を制御部（図示略）に出力する。制御部は、この電気信号の入力に基づいて、緯糸Ｙの有無を判断する。緯糸センサ２０、プラスチックファイバー、発光素子、受光素子、制御部により緯糸検出装置が構成される。
【００１９】
図３（ｂ）に示すように、投光用光ファイバー２４及び受光用光ファイバー２５は複数のファイバー要素２６を束ねたマルチ光ファイバーであるが、便宜上、図２及び図３（ａ）においては、投光用光ファイバー２４及び受光用光ファイバー２５を１本の光ファイバーとして図示している。以下、適宜、投光用光ファイバー２４及び受光用光ファイバー２５を１本の光ファイバーとして図示する。本実施形態では、ファイバー要素２６は、グラスファイバーで構成されたＳＩ型マルチモードファバーである。図４（ａ）に示すように、ＳＩ型マルチモードファバーは、光源４０から照射されて入射した光を伝送するコア部分４１の屈折率が均一な構造をしている。
【００２０】
また、図３（ｂ）に示すように、投光用光ファイバー２４及び受光用光ファイバー２５は、端面（先端面２４ａ，２５ａ）のうち他方の光ファイバーと隣り合う側の縁部である隣接縁部２４ｂ，２５ｂと、それとは反対側の縁部である反隣接縁部２４ｃ，２５ｃが平面に形成されている。投光用光ファイバー２４及び受光用光ファイバー２５のうちの一方の隣接縁部と、投光用光ファイバー２４及び受光用光ファイバー２５のうちの他方の反隣接縁部とがなす角度を両者の検出エリアの境界の少なくとも一方が合うように設定した。詳述すると、この実施形態では、投光用光ファイバー２４及び受光用光ファイバー２５はともに、隣接縁部２４ｂ，２５ｂと反隣接縁部２４ｃ，２５ｃとがそれぞれ一平面となるように端面（先端面２４ａ，２５ａ）が形成されている。そして、受光用光ファイバー２５の先端面２５ａと、投光用光ファイバー２４の先端面２４ａとがなす角度を両者の検出エリアの投光用光ファイバー側境界が合うように設定した。この実施形態では投光用光ファイバー２４及び受光用光ファイバー２５は、それぞれ先端面２４ａ，２５ａが各光ファイバーの軸方向と直交する平面Ｈに対して傾いて形成されている。
【００２１】
投光用光ファイバー２４の先端面２４ａ及び受光用光ファイバー２５の先端面２５ａは、収容空間２３の露出口２３ａから露出しており、投光用光ファイバー２４を通ってきた光は、先端面２４ａから筬内通路１６（飛走通路）に向けて投射され、投射された光がガイド凹部１５ａで反射した反射光が受光用光ファイバー２５の先端面２５ａに入射される。
【００２２】
受光用光ファイバー２５内でコア−クラッド境界を全反射で光伝送させるためには図４（ｂ）に示すように、受光用光ファイバー２５内の屈折角ｒ１は２０°以下でなければならない。
【００２３】
ガラスから空気への臨界角は４１〜４３°程度で、この角度以上の入射角の場合、全反射が起こる。受光用光ファイバー２５に入射する光を全反射させずに受光するための入射光に対する先端面２５ａの成す角度は、光ファイバー種類やガラスの屈折率、使用する光の波長で変わる。試験で使用した光ファイバーの場合、受光用光ファイバー２５内でコア−クラッド境界を全反射で光伝送させるために屈折角ｒ１を２０°以下に保つためには、入射角ｉ１は約３０°以下にしなければならず、これが受光範囲約６０°（片側３０°）を決める。
【００２４】
図５（ａ）に示すように、投光用光ファイバー２４及び受光用光ファイバー２５の先端面２４ａ，２５ａが共に光ファイバーの軸方向と直交する平面の場合、投光用光ファイバー２４及び受光用光ファイバー２５の上下方向の位置の違いに起因して、投光用光ファイバー２４の投光範囲と受光用光ファイバー２５の受光範囲が一致せずにずれる。受光用光ファイバー２５の先端面を、図５（ｂ）に示すように、光ファイバーの軸方向と傾斜する平面とした場合は、受光用光ファイバー２５の受光範囲をシフトさせることができる。また、図５（ｃ）に示すように、投光用光ファイバー２４の先端面２４ａを光ファイバーの軸方向と傾斜する平面とした場合は、投光用光ファイバー２４の投光範囲をシフトさせることができる。
【００２５】
例えば、図５（ｂ）において、受光用光ファイバー２５の先端面２５ａが光ファイバーの軸方向と垂直な場合の受光範囲の一方の境界を二点鎖線で示す境界線Ｌｈａとし、先端面２５ａが光ファイバーの軸方向と垂直な面との成す角度をθとする。先端面２５ａが傾いた場合の境界線Ｌｈｂと境界線Ｌｈａとの成す角度をαとした場合、角度αと角度θとを一致させることで、投受光範囲を一致させることが可能になる。
【００２６】
特許文献１に開示された緯糸検出装置では、投光用光ファイバー５４及び受光用光ファイバー５５を使用し、支持部材５１が経糸開口内に出入りする際の経糸の損傷を抑制するため、投光用光ファイバー５４及び受光用光ファイバー５５の先端が凸曲面に形成されている。特許文献１の緯糸検出装置では、投光用光ファイバー５４及び受光用光ファイバー５５の投受光範囲の重なり具合を高める事に関しては何ら考慮されていなかった。そして、投光用光ファイバー５４及び受光用光ファイバー５５の端面を凸曲面としたため、投光範囲Ａ１と受光範囲Ａ２との重なり範囲が狭くなり、緯糸の検出性能が低下する。
【００２７】
この実施形態では、投光用光ファイバー２４の投光範囲と受光用光ファイバー２５の受光範囲との重なり具合を高めるようにするために、投光用光ファイバー２４の先端面２４ａ及び受光用光ファイバー２５の先端面２５ａは、ともに、隣接縁部２４ｂ，２５ｂと反隣接縁部２４ｃ，２５ｃとで構成されている。そして受光用光ファイバー２５の隣接縁部２５ｂと、投光用光ファイバー２４の反隣接縁部２４ｃとがなす角度を両者、即ち投光用光ファイバー２４及び受光用光ファイバー２５の検出エリアの投光用光ファイバー側境界が合うように設定した。両者の検出エリアの投光用光ファイバー側境界とは、図６（ａ），（ｂ）において、投光範囲を示す上側の線Ｌｕと、筬羽１５のガイド凹部１５ａと対応する下顎部分における筬羽１５の背面と平行な接線Ｌ１とが交わる箇所Ｃを意味する。
【００２８】
投光用光ファイバー２４及び受光用光ファイバー２５はともに、隣接縁部２４ｂ，２５ｂと反隣接縁部２４ｃ，２５ｃとがそれぞれ一平面となるように端面が形成されているため、先端面２４ａの角度は隣接縁部２４ｂ及び反隣接縁部２４ｃの角度と同じで、先端面２５ａの角度は隣接縁部２５ｂ及び反隣接縁部２５ｃの角度と同じである。そのため、投光用光ファイバー２４及び受光用光ファイバー２５は、先端面２４ａと、先端面２５ａとがなす角度θを両者の検出エリアの投光用光ファイバー側境界が合うように設定した。
【００２９】
特許文献１に開示された構成の緯糸検出装置（従来技術）と、実施形態の構成の緯糸検出装置について、シミュレーションで投受光範囲の重なり具合を求めた。投受光範囲の重なり具合は、図６（ａ），（ｂ）に示すように、筬羽１５のガイド凹部１５ａと対応する下顎部分における筬羽１５の背面と平行な接線Ｌ１より背面側のガイド凹部１５ａに占める投光範囲Ａ１と受光範囲Ａ２との重なりから求めた。この実施形態の投光用光ファイバー２４及び受光用光ファイバー２５として、それぞれ先端面２４ａ，２５ａが各光ファイバーの軸方向と直交する平面に対して角度θ（＝１０°）傾いた構成のものについてシミュレーションを行った。また、投光用光ファイバー２４及び受光用光ファイバー２５の光ファイバーの軸方向と、垂直方向（接線Ｌ１の延びる方向）との成す角度βは５５°に設定されている。
【００３０】
実施形態の投光用光ファイバー２４の投光範囲Ａ１は図６（ａ）に示すドットを付した範囲になり、受光用光ファイバー２５の受光範囲Ａ２は図６（ｂ）に示すドットを付した範囲になった。従来技術の投光用光ファイバー５４の投光範囲Ａ１は図１２（ａ）に示すドットを付した範囲になり、受光用光ファイバー５５の受光範囲Ａ２は図１２（ｂ）に示すドットを付した範囲になった。
【００３１】
この実施形態によれば、以下に示す効果を得ることができる。
（１）緯糸センサ２０は、圧縮空気の噴射によって緯糸Ｙを緯入れし、緯入れされた緯糸Ｙをスレイ１４上の筬羽１５によって筬打ちするエアジェットルームにおける緯糸検出装置である。そして、緯糸の飛走通路（筬内通路１６）に対向して配置される支持部材２２と、支持部材２２内に設けられ、かつ端面（先端面２４ａ，２５ａ）が前記飛走通路に対向して配置された投光用光ファイバー２４及び受光用光ファイバー２５とを備えている。投光用光ファイバー２４及び受光用光ファイバー２５は、端面のうち他方の光ファイバーと隣り合う側の縁部である隣接縁部２４ｂ，２５ｂと、それとは反対側の縁部である反隣接縁部２４ｃ，２５ｃは平面に形成され、投光用光ファイバー２４及び受光用光ファイバー２５のうちの一方の隣接縁部と、投光用光ファイバー２４及び受光用光ファイバー２５のうちの他方の反隣接縁部とがなす角度を両者の検出エリアの境界の少なくとも一方が合うように設定した。そのため、従来に比べて、投光用光ファイバー２４及び受光用光ファイバー２５の検出エリアの重なる範囲が増加し、かつ緯糸存在頻度が比較的高い飛走通路上部で検出エリアを一致させることができる。その結果、飛走緯糸の検出性能を向上させることができる。
【００３２】
（２）支持部材２２は経糸Ｔ列の間から経糸Ｔの開口内に対して出入り可能に設けられ、投光用光ファイバー２４及び受光用光ファイバー２５は、筬羽１５に形成されたガイド凹部１５ａを指向する状態で端面（先端面２４ａ，２５ａ）が縦に並ぶように設けられている。この構成においては、受光用光ファイバー２５は、投光用光ファイバー２４から投射されてガイド凹部１５ａで反射した反射光を受光するため、緯糸で反射した反射光により緯糸の検出を行う構成に比較して検出精度が高くなる。また、投光用光ファイバー２４及び受光用光ファイバー２５の端面が横に並ぶ構成に比べて支持部材２２の太さを細くすることができ、支持部材２２が経糸Ｔ開口に出入りする際の抵抗が小さくなる。
【００３３】
（３）投光用光ファイバー２４及び受光用光ファイバー２５は、それぞれ端面（先端面２４ａ，２５ａ）が各光ファイバーの軸方向と直交する平面に対して傾いて形成されている。この構成によれば、一方の光ファイバーの端面のみを光ファイバーの軸方向と直交する平面に対して傾くように形成した場合に比べて、端面が光ファイバーの軸方向と直交する平面と成す角度を小さくすることができる。
【００３４】
（４）投光用光ファイバー２４及び受光用光ファイバー２５は、それぞれ先端面２４ａ，２５ａを構成する隣接縁部２４ｂ，２５ｂと反隣接縁部２４ｃ，２５ｃが、光ファイバーの軸方向と一定の角度をなす一平面を構成するように形成されている。したがって、隣接縁部２４ｂ，２５ｂと反隣接縁部２４ｃ，２５ｃが光ファイバーの軸方向と異なる角度を成す複数の平面で構成される場合に比べて先端面２４ａ，２５ａの加工が容易になる。
【００３５】
（５）投光用光ファイバー２４及び受光用光ファイバー２５は、それぞれ複数のファイバー要素２６を束ねたマルチ光ファイバーで構成されている。したがって、１本の光ファイバーで構成された場合に比べて検出感度が高くなる。
【００３６】
（第２の実施形態）
次に、第２の実施形態を図１及び図７にしたがって説明する。この実施形態の緯糸検出装置は、飛走通路を構成する筬内通路１６内を飛走する緯糸を検出するのではなく、緯糸の先端が織布の捨て耳と対応する位置、即ち緯入れ末端まで到達したか否かを検出するために使用される点が第１の実施形態と異なっている。第１の実施形態と同一部分は同一符号を付して詳しい説明を省略する。
【００３７】
図１に示すように、緯糸検出装置を構成する緯糸センサ３０は、経糸Ｔの開口の外に緯糸が到達する緯糸到達位置に、支持ブロック３１を介して位置調整可能に固定されている。
【００３８】
図７に示すように、緯糸センサ３０は、投光用光ファイバー２４及び受光用光ファイバー２５が、その先端面２４ａ，２５ａが緯入れ方向（図７の左右方向）に沿って並ぶように支持部材３２に支持された状態で設けられている。緯糸センサ３０は筬羽１５と対向するとともに緯糸Ｙの飛走通路と対向する位置に設けられている。投光用光ファイバー２４及び受光用光ファイバー２５は複数のファイバー要素２６（図示せず）を束ねたマルチ光ファイバーで構成されている。
【００３９】
投光用光ファイバー２４は緯糸Ｙの飛走方向上流側に、受光用光ファイバー２５は緯糸Ｙの飛走方向下流側に位置するように設けられている。投光用光ファイバー２４及び受光用光ファイバー２５は、それぞれ先端面２４ａ，２５ａが各光ファイバーの軸方向と直交する平面に対して傾いて形成されている。各先端面２４ａ，２５ａの傾斜角度は、投光用光ファイバー２４の投光範囲と受光用光ファイバー２５の受光範囲との重なり具合を高めるようにする角度に設定されている。そして、投光用光ファイバー２４から投射された光が緯糸Ｙで反射すると、その反射光が受光用光ファイバー２５の先端面２５ａに入射されるようになっている。
【００４０】
投光用光ファイバー２４及び受光用光ファイバー２５は、その光軸が緯入れ方向とほぼ直交している。そして、投光用光ファイバー２４の投光範囲を示す反受光用光ファイバー側の線と、筬羽１５の背面と平行で緯入れ方向に延びる線Ｌ２とが交わる箇所Ｃが、受光用光ファイバー２５の受光範囲を示す投光用光ファイバー側の線と、線Ｌ２とが交わる箇所と一致する。また、投光用光ファイバー２４の投光範囲を示す受光用光ファイバー側の線と、筬羽１５の背面と平行で緯入れ方向に延びる線Ｌ２とが交わる箇所Ｄが、受光用光ファイバー２５の受光範囲を示す反投光用光ファイバー側の線と、線Ｌ２とが交わる箇所と一致する。そして、図７において、線Ｌ２より筬羽１５側で、投光用光ファイバー２４の投光範囲を示す反受光用光ファイバー側の線の延長部と、受光用光ファイバー２５の受光範囲を示す反投光用光ファイバー側の線の延長部とで囲まれたドットを付した部分が検出エリアＡとなる。即ち、緯糸センサ３０の投光用光ファイバー２４及び受光用光ファイバー２５の端面の形状が第１の実施形態と同様の形状であっても、両者の境界となる箇所Ｃ，Ｄが一致する。
【００４１】
この実施形態によれば、第１の実施形態の（３），（４）、（５）と同様な効果に加えて以下に示す効果を得ることができる。
（６）支持部材３２は経糸Ｔの開口の外に緯糸が到達する緯糸到達位置に設けられ、投光用光ファイバー２４及び受光用光ファイバー２５は、先端面２４ａ，２５ａが緯入れ方向に沿って並ぶように設けられている。したがって、従来の緯入れ末端検出用の緯糸検出装置と異なり、投光部及び受光部にレンズを用いていないため、装置（緯糸センサ３０）の幅（緯入れ方向と平行な方向の大きさ）が小さくなる。その結果、投光部及び受光部にレンズを用いた従来の緯入れ末端検出用の緯糸検出装置では装置の幅が十数ｍｍであったのに対して、投光用光ファイバー２４及び受光用光ファイバー２５の直径を２ｍｍ以下にすれば、大幅に細い幅（例えば、５ｍｍ以下）の緯糸センサ３０を構成することができる。そのため、緯入れに必要な緯糸の長さを削減することができる。
【００４２】
実施形態は前記に限定されるものではなく、例えば、次のように具体化してもよい。
○  投光用光ファイバー２４及び受光用光ファイバー２５の両方の先端面２４ａ，２５ａが光ファイバーの軸方向と直交する平面と傾いて形成される必要はない。例えば、図８（ａ）に示すように、投光用光ファイバー２４及び受光用光ファイバー２５の先端面２４ａ，２５ａが縦に並ぶように配置される構成において、先端面２４ａは光ファイバーの軸方向と直交する平面と平行に形成され、先端面２５ａのみ光ファイバーの軸方向と直交する平面に対して傾いて形成されていてもよい。
【００４３】
○  図８（ｂ）に示すように、投光用光ファイバー２４及び受光用光ファイバー２５の先端面２４ａ，２５ａが縦に並ぶように配置される構成において、先端面２４ａは光ファイバーの軸方向と直交する平面に対して傾いて形成され、先端面２５ａは光ファイバーの軸方向と直交する平面と平行に形成されていてもよい。
【００４４】
○  図８（ｃ）に示すように、先端面２４ａ，２５ａが縦に並ぶように配置される構成において、先端面２４ａは光ファイバーの軸方向と直交する平面と平行に形成され、先端面２５ａは隣接縁部２５ｂが光ファイバーの軸方向と直交する平面と平行に形成され、反隣接縁部２５ｃが光ファイバーの軸方向と直交する平面に対して傾いて形成されていてもよい。
【００４５】
○  図８（ｄ）に示すように、先端面２４ａ，２５ａが縦に並ぶように配置される構成において、先端面２５ａは光ファイバーの軸方向と直交する平面と平行に形成され、先端面２４ａは隣接縁部２４ｂが光ファイバーの軸方向と直交する平面と平行に形成され、反隣接縁部２４ｃが光ファイバーの軸方向と直交する平面に対して傾いて形成されていてもよい。
【００４６】
○  図９（ａ）に示すように、投光用光ファイバー２４及び受光用光ファイバー２５の先端面２４ａ，２５ａが横に並ぶように配置される構成において、先端面２４ａは光ファイバーの軸方向と直交する平面に対して傾いて形成され、先端面２５ａが光ファイバーの軸方向と直交する平面と平行に形成されていてもよい。
【００４７】
○  図９（ｂ）に示すように、投光用光ファイバー２４及び受光用光ファイバー２５の先端面２４ａ，２５ａが横に並ぶように配置される構成において、先端面２４ａは光ファイバーの軸方向と直交する平面と平行に形成され、先端面２５ａが光ファイバーの軸方向と直交する平面に対して傾いて形成されていてもよい。
【００４８】
○  投光用光ファイバー２４及び受光用光ファイバー２５の先端面２４ａ，２５ａが横に並ぶように配置される構成において、光ファイバーの軸方向と直交する平面に対して傾いて形成される一方の先端面２４ａ（又は先端面２５ａ）は、先端面の反隣接縁部２４ｃ（又は反隣接縁部２５ｃ）のみ傾いて形成されてもよい。
【００４９】
○  投光用光ファイバー２４及び受光用光ファイバー２５の先端面２４ａ，２５ａが縦に並ぶ配置の構成において、投光用光ファイバー２４の２４ａを下側に配置し、受光用光ファイバー２５の先端面２５ａを上側に配置してもよい。
【００５０】
○  投光用光ファイバー２４及び受光用光ファイバー２５の先端面２４ａ，２５ａが横に並ぶ配置の構成において、投光用光ファイバー２４の２４ａを反緯入れ側に配置し、受光用光ファイバー２５の先端面２５ａを緯入れ側に配置してもよい。
【００５１】
○  投光用光ファイバー２４及び受光用光ファイバー２５は、隣接縁部２４ｂ，２５ｂと反隣接縁部２４ｃ，２５ｃが屈曲する構成において、隣接縁部２４ｂ，２５ｂと反隣接縁部２４ｃ，２５ｃとの間に、隣接縁部２４ｂ，２５ｂ及び反隣接縁部２４ｃ，２５ｃに対して傾いた平面を設けてもよい。
【００５２】
○  投光用光ファイバー２４及び受光用光ファイバー２５の先端面２４ａ，２５ａが光ファイバーの軸方向と直交する平面に対して傾いて形成される場合、各先端面２４ａ，２５ａ傾きが異なっていてもよい。
【００５３】
○  受光用光ファイバー２５の隣接縁部２５ｂと、投光用光ファイバー２４の反隣接縁部２４ｃとがなす角度θを、両者の検出エリアの投光用光ファイバー側境界に加えて、受光用光ファイバー側境界も合うように設定してもよい。両者の検出エリアの受光用光ファイバー側境界とは、図６（ａ），（ｂ）において、投光範囲を示す下側の線Ｌｓと、筬羽１５のガイド凹部１５ａと対応する下顎部分における筬羽１５の背面と平行な接線Ｌ１とが交わる箇所Ｄを意味する。
【００５４】
○  投光用光ファイバー２４及び受光用光ファイバー２５はそれぞれプラスチックファイバーを介さずにＬＥＤあるいはＰＤに接続されてもよい。しかし、プラスチックファイバーを介して接続される構成の方が、織機の筬打ち運動に伴う光ファイバーの損傷の回避に有効である。
【符号の説明】
【００５５】
θ…角度、Ａ…検出エリア、Ｔ…経糸、Ｙ…緯糸、１４…スレイ、１５…筬羽、１５ａ…ガイド凹部、２２，３２…支持部材、２４…投光用光ファイバー、隣接縁部２４ｂ，２５ｂ、反隣接縁部２４ｃ，２５ｃ、２５…受光用光ファイバー。
【図１】
0005999136.tif 000002
【図２】
0005999136.tif 000003
【図３】
0005999136.tif 000004
【図４】
0005999136.tif 000005
【図５】
0005999136.tif 000006
【図６】
0005999136.tif 000007
【図７】
0005999136.tif 000008
【図８】
0005999136.tif 000009
【図９】
0005999136.tif 000010
【図１０】
0005999136.tif 000011
【図１１】
0005999136.tif 000012
【図１２】
0005999136.tif 000013